(57)【要約】【課題】ディスプレイに触れずに入力でき、利便性を向上できると共に、美観が損なわれない吊戸棚を提供することを目的とする。【解決手段】本発明にかかる吊戸棚１００は、キッチン１０２の上方に設置された吊戸棚であって、吊戸棚の下面１１８に配置されたディスプレイ１２０と、吊戸棚の下面の手前側に取付けられたヒンジ１２４と、ヒンジを介して取付けられ、ディスプレイから発する光を屈折させて、空中画像１２８を結像するレンズガラス１２６と、レンズガラスの奥側に取付けられ、空中画像に対するユーザ１３４の手１３６の動きをスキャンするスキャナ１３２とを備え、ヒンジは、吊戸棚の下面に対するレンズガラスの角度を調整して調整後の角度を保持することを特徴とする。【選択図】図３
2019045916.tif 000002
【特許請求の範囲】
【請求項１】
キッチンの上方に設置された吊戸棚であって、
当該吊戸棚の下面に配置されたディスプレイと、
前記吊戸棚の下面の手前側に取付けられたヒンジと、
前記ヒンジを介して取付けられ、前記ディスプレイから発する光を屈折させて、空中画像を結像するレンズガラスと、
前記レンズガラスの奥側に取付けられ、空中画像に対するユーザの手の動きをスキャンするスキャナとを備え、
前記ヒンジは、前記吊戸棚の下面に対する前記レンズガラスの角度を調整して調整後の角度を保持することを特徴とする吊戸棚。
【請求項２】
前記ヒンジは、角度を任意の角度で調整可能であることを特徴とする請求項１に記載の吊戸棚。
【請求項３】
前記レンズガラスの奥側に、ユーザに把持されるハンドルが設けられていることを特徴とする請求項１または２に記載の吊戸棚。
【発明の詳細な説明】
【技術分野】
【０００１】
本発明は、本発明は、キッチンの上方に設置された吊戸棚に関する。
【背景技術】
【０００２】
キッチンにおいては、調理や食器洗いの最中、調理器や食器洗い機などを操作するためにスイッチに触れることがある。また近年は、レシピなどを参照するためにキッチンにタッチパネルディスプレイを設置する場合がある。しかし、調理中であれば食材や調味料などが、あるいは食器洗い中であれば洗剤などが手に付着していることがある。このような手でスイッチやタッチパネルに触れてしまうとこれらが汚れてしまい、その後で汚れを拭き取るなどの余計な手間がかかってしまう。
【０００３】
特許文献１には、空中タッチパネルが記載されている。空中タッチパネルは、ディスプレイと、ディスプレイの画像を空中に結像させる結像手段（レンズガラス）と、結像させた空間画像を指などでタッチすると、その入力位置を検知する位置入力手段（スキャナ）とを備えている。特許文献１では、ディスプレイに接触しなくても、空間画像を見ながら特定の位置を入力できるため、ディスプレイが汚れたり、きずが付いたりすることがなく、極めて衛生的である、としている。
【０００４】
特許文献２には、空中タッチパネルをテーブルのような筐体に収容したジャスチャー操作装置が記載されている。特許文献２によれば、パソコン等の入力装置のディスプレイ画像など、三次元空間に浮かび上がらせた空中画像に対して、ユーザがジェスチャー操作をわかりやすく行うことができ、操作指令を精度よく判別できるとしている。
【先行技術文献】
【特許文献】
【０００５】
【特許文献１】特開２０１４−０６７０７１号公報
【特許文献２】特開２０１７−０６２７０９号公報
【発明の概要】
【発明が解決しようとする課題】
【０００６】
ところでキッチンでは、調理スペースとなるカウンターがあるため、空中タッチパネルのシステムをカウンタートップに収容することが考えられる。しかしながら調理スペースは食材や調理器具を置く作業場所であるから、空中画像の光路やスキャナのセンシングを邪魔するおそれがある。一方、キッチンはその上方に吊戸棚を設けるなどして、調理用具や食器などを収納するスペースをより多く確保している。そこで特許文献１の空中タッチパネルを吊戸棚に適用することが考えられる。しかしながら、吊り戸棚に空中タッチパネルのシステムを収容しようとしても、ディスプレイに対してレンズガラスが傾斜して配置されているため、常に、レンズガラスが吊戸棚から飛び出していることになり、美観が損なわれてしまう。
【０００７】
本発明は、このような課題に鑑み、ディスプレイに触れずに入力でき、利便性を向上できると共に、美観が損なわれない吊戸棚を提供することを目的としている。
【課題を解決するための手段】
【０００８】
上記課題を解決するために、本発明にかかる吊戸棚の代表的な構成は、キッチンの上方に設置された吊戸棚であって、吊戸棚の下面に配置されたディスプレイと、吊戸棚の下面の手前側に取付けられたヒンジと、ヒンジを介して取付けられ、ディスプレイから発する光を屈折させて、空中画像を結像するレンズガラスと、レンズガラスの奥側に取付けられ、空中画像に対するユーザの手の動きをスキャンするスキャナとを備え、ヒンジは、吊戸棚の下面に対するレンズガラスの角度を調整して調整後の角度を保持することを特徴とする。
【０００９】
上記構成によれば、空中画像を結像するレンズガラスは、吊戸棚の下面にヒンジを介して取付けられていて、吊戸棚の下面に対する角度をヒンジによって調整可能である。このため、不使用時にはレンズガラスの角度を小さくして吊戸棚の下面に接するようにして収納できるので、美観が損なわれない。
【００１０】
一方、使用時には、レンズガラスの角度を調整することで空中画像が結像する空間での位置を調整でき、利便性が向上する。例えば背の高いユーザであれば、角度を大きくすることで空中画像に対する視線の角度を垂直に近づけることができ、視認性が向上する。一方、背が低いユーザであれば、角度を小さくすることで、視認性が向上することになる。
【００１１】
またレンズガラスにスキャナが取付けられているため、レンズガラスがどのような角度に調整された場合であっても、空中画像に対するスキャナの位置は定まっている。このため、スキャナは、空中画像に対するユーザの手の動きを確実にスキャンできる。したがって、ユーザは、ディスプレイに触れずに、空中画像の特定の位置にタッチするジェスチャー操作を行うことで、調理器や食器洗い機などを操作できる。またユーザの手が汚れていたとしても、ディスプレイに触れることがないため、衛生的である。ここで空中画像の位置や角度は、レンズガラスの角度に応じて変化する。このため、空中画像の位置や角度が変化したらその都度、ユーザの手の動きからユーザのジェスチャー操作を認識するソフトウェアでキャリブレーションを行い、空中画像に対するユーザのジェスチャー操作を精度よく認識できるようにしてもよい。
【００１２】
上記のヒンジは、角度を任意の角度で調整可能であるとよい。任意の角度で調整するために、具体的にはフリーストップヒンジを使用することができる。これにより、ヒンジを固定したり解除したりする操作が不要となるため、利便性が向上する。
【００１３】
上記のレンズガラスの奥側に、ユーザに把持されるハンドルが設けられているとよい。これにより、ユーザはハンドルを把持して手前側に引き寄せることで、吊戸棚の下面に対するレンズガラスの角度を容易に調整できる。
【発明の効果】
【００１４】
本発明によれば、ディスプレイに触れずに入力でき、利便性を向上できると共に、美観が損なわれない吊戸棚を提供することができる。
【図面の簡単な説明】
【００１５】
【図１】本発明の実施形態における吊戸棚の全体を示す図である。
【図２】図１の吊戸棚の要部を示す図である。
【図３】図２の吊戸棚を側方から見た図である。
【図４】図３の吊戸棚の使用例を示す図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
図１は、本発明の実施形態における吊戸棚１００の全体を示す図である。吊戸棚１００は、図示のように、キッチン１０２の上方に設置されている。キッチン１０２は、吊戸棚１００が設置されることで、調理用具や食器などを収納するスペースをより多く確保している。
【００１８】
キッチン１０２は、３つのキャビネットから構成されたシステムキッチンであって、例えばコンロキャビネット１０４、ベースキャビネット１０６およびシンクキャビネット１０８を有する。コンロキャビネット１０４には、加熱調理器としてのコンロ１１０が設置されている。ベースキャビネット１０６には、調理スペース１１２が設けられていて食器洗い機等を収容可能である。シンクキャビネット１０８には、水栓１１４およびシンク１１６が設置されている。
【００１９】
図２は、図１の吊戸棚１００の要部を示す図である。図中では、図１の吊戸棚１００を斜め下方から見上げた状態を示している。図３は、図２の吊戸棚１００を側方から見た図である。
【００２０】
吊戸棚１００の下面１１８には、ディスプレイ１２０が配置されている。ディスプレイ１２０には、例えばレシピや、調理器や食器洗い機などの操作メニューが表示される。また吊戸棚１００の下面１１８のうち、壁面１２２（図３参照）から離れる方向である手前側には、ヒンジ１２４が取付けられている。
【００２１】
吊戸棚１００はさらに、レンズガラス１２６を備える。レンズガラス１２６は、ヒンジ１２４を介して吊戸棚１００の下面１１８に取付けられている。ヒンジ１２４は、例えばフリーストップヒンジであり、図３の矢印Ａに示すように、吊戸棚１００の下面１１８に対するレンズガラス１２６の角度を任意の角度で調整可能であり、さらに調整後の角度を保持する。またフリーストップヒンジであるため、任意の角度で調整する際、ヒンジ１２４を固定したり解除したりする操作が不要となり、利便性が高い。
【００２２】
このため、レンズガラス１２６は、図３に示すように、不使用時に吊戸棚１００の下面１１８に対する角度を小さくして、吊戸棚１００の下面１１８に平行あるいは接するようにして収納できる。なお図３では、レンズガラス１２６の不使用時と使用時のいずれの状態も示している。
【００２３】
一方、使用時においてレンズガラス１２６は、吊戸棚１００の下面１１８に対する角度を調整して、ディスプレイ１２０に対して傾斜して配置される（図２参照）。レンズガラス１２６は、図３に示す使用時において、ディスプレイ１２０から発する光Ｂを屈折させ、レンズガラス１２６の正面に立つユーザ１３４の視覚に対して、屈折後の光Ｃによって空中画像１２８を結像する。ここでレンズガラス１２６の屈折角は、例えば９０度である。空中画像１２８は、ディスプレイ１２０の表示画面を空間内に浮かび上がらせたものであり、いわば仮想ディスプレイとして機能する。
【００２４】
さらにレンズガラス１２６の奥側、すなわち不使用時に収納された状態で壁面１２２に近い側には、ハンドル１３０とスキャナ１３２とが取付けられている。
【００２５】
吊戸棚１００では、使用時に、ユーザ１３４がハンドル１３０を把持して手前側に引き寄せたりあるいは奥側に押し付けたりすることで、吊戸棚１００の下面１１８に対するレンズガラス１２６の角度を容易に調整できる。そして吊戸棚１００では、ユーザ１３４から見て空中画像１２８の視認性が最も高くなったら、ユーザ１３４がハンドル１３０から手１３６を離すだけで、ヒンジ１２４によってその角度が保持される。なお空中画像１２８の視認性が最も高くなる角度は、例えばユーザ１３４の視線Ｄに対して空中画像１２８の面方向が垂直になるような角度である。
【００２６】
スキャナ１３２は、空中画像１２８に対するユーザ１３４の手１３６の動きをスキャンする。図示のように、空中画像１２８およびユーザ１３４の手１３６は、スキャナ１３２の撮影範囲Ｅ内に位置している。
【００２７】
このため、スキャナ１３２は、空中画像１２８に対するユーザ１３４の手１３６の動き、例えば空中画像１２８の特定の位置にタッチしたことなどを確実にスキャンできる。空中画像１２８の特定の位置には、例えばレシピを表示させるメニューや、調理器や食器洗い機などの操作メニューが表示されている。
【００２８】
さらに吊戸棚１００では、ユーザ１３４の手１３６の動きがスキャナ１３２でスキャンされることで、空中画像１２８の特定の位置にタッチしたことが検知されて、空中画像１２８の特定の位置に対応付けられた所望の表示や操作が可能となる。
【００２９】
図４は、図３の吊戸棚１００の使用例を示す図である。なお図４（ａ）には、図３と同様のユーザ１３４を示している。吊戸棚１００を使用する際、ユーザ１３４は、まずハンドル１３０を把持して手前に引き寄せて、空中画像１２８の視認性が高くなるように、吊戸棚１００の下面１１８に対するレンズガラス１２６の角度を調整する。
【００３０】
図４（ａ）に示すように、吊戸棚１００の下面１１８に対するレンズガラス１２６の角度をαにしたところ、視線Ｄに対して空中画像１２８の面方向が垂直となり、空中画像１２８の視認性が最も高くなった。つぎに、ユーザ１３４がハンドル１３０から手１３６を離すと、ヒンジ１２４によって角度αが保持される。これにより、ユーザ１３４は、空中画像１２８の特定の位置に対して手１３６で確実にタッチできる。
【００３１】
図４（ｂ）はユーザ１３８の視線が低い（背が低い）場合の例である。図４（ｂ）に示すユーザ１３８が吊戸棚１００を使用する場合、ユーザ１３８は、まずハンドル１３０を把持して手前に引き寄せて、空中画像１４０の視認性が高くなるように、吊戸棚１００の下面１１８に対するレンズガラス１２６の角度を調整する。
【００３２】
ただし、ユーザ１３８は、図４（ａ）に示すユーザ１３４よりも背が低い。このため、ユーザ１３８の視線Ｆに対して空中画像１４０の面方向が垂直であって、空中画像１４０の視認性が最も高くなる角度は、図４（ｂ）に示すように角度βとなり、図４（ａ）に示す角度αよりも小さくなる。
【００３３】
つぎに、ユーザ１３８がハンドル１３０から手１４２を離すと、ヒンジ１２４によって角度βが保持される。これにより、ユーザ１３８は、空中画像１４０の特定の位置に対して手１４２で確実にタッチできる。
【００３４】
空中画像１４０は、ディスプレイ１２０からの光Ｇをレンズガラス１２６で９０度に屈折させ、屈折後の光Ｈによって結像したものであり、図４（ａ）に示す空中画像１２８に比べて下に向かって傾斜している。空中画像１４０は、下に向かって傾斜していることで、背の低いユーザ１３８から見て視認性が高くなっている。
【００３５】
上記説明したように、本実施形態の吊戸棚１００によれば、空中画像１２８、１４０を結像するレンズガラス１２６が吊戸棚１００の下面１１８に対する角度をヒンジ１２４によって調整可能である。このため、吊戸棚１００では、不使用時にはレンズガラス１２６の角度を小さくして吊戸棚１００の下面１１８に平行あるいは接するようにして収納できる。したがって、レンズガラス１２６が吊戸棚１００から飛び出すことがなく、美観が損なわれない。
【００３６】
また吊戸棚１００では、使用時にはレンズガラス１２６の角度を調整することで空中画像１２８、１４０が結像する空間での位置を調整でき、利便性が向上する。例えば、図４（ａ）に示す背の高いユーザ１３４であれば、角度を大きくして角度αとすることで空中画像１２８に対する視線Ｄの角度を垂直に近づけることができ、空中画像１２８に対する視認性が向上する。一方、図４（ｂ）に示す背が低いユーザ１３８であれば、角度を小さくして角度βとすることで、空中画像１４０に対する視認性が向上することになる。
【００３７】
また吊戸棚１００では、レンズガラス１２６にスキャナ１３２が取付けられているため、レンズガラス１２６がどのような角度に調整された場合であっても、空中画像１２８、１４０に対するスキャナ１３２の位置は定まることになる。このため、スキャナ１３２は、空中画像１２８、１４０に対するユーザ１３４、１３８の手１３６、１４２の動きを確実にスキャンできる。したがって、吊戸棚１００では、ユーザ１３４、１３８がディスプレイ１２０に触れずに、空中画像１２８、１４０の特定の位置にタッチするジェスチャー操作を行うことで、参照したいレシピを表示したり、調理器や食器洗い機などを操作したりすることができる。ただし空中画像１２８、１４０の位置や角度は、レンズガラス１２６の角度に応じて変化する。このため、空中画像１２８、１４０の位置や角度が変化したらその都度、ユーザ１３４、１３８の手１３６、１４２の動きからユーザ１３４、１３８のジェスチャー操作を認識するソフトウェアでキャリブレーションを行い、空中画像１２８、１４０に対するユーザ１３４、１３８のジェスチャー操作を精度よく認識できるようにしてもよい。
【００３８】
さらに吊戸棚１００では、調理や食器洗いの最中でユーザ１３４、１３８の手１３６、１４２が汚れていたとしても、ディスプレイ１２０に触れることがないため、衛生的である。
【００３９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４０】
本発明は、キッチンの上方に設置された吊戸棚に利用することができる。
【符号の説明】
【００４１】
１００…吊戸棚、１０２…キッチン、１０４…コンロキャビネット、１０６…ベースキャビネット、１０８…シンクキャビネット、１１０…コンロ、１１２…調理スペース、１１４…水栓、１１６…シンク、１１８…吊戸棚の下面、１２０…ディスプレイ、１２２…壁面、１２４…ヒンジ、１２６…レンズガラス、１２８、１４０…空中画像、１３０…ハンドル、１３２…スキャナ、１３４、１３８…ユーザ、１３６、１４２…ユーザの手
【図１】
2019045916.tif 000003
【図２】
2019045916.tif 000004
【図３】
2019045916.tif 000005
【図４】
2019045916.tif 000006